【事件の表示】
　平成　８年特許願第２８９７４０号「光量絞り装置」拒絶査定不服審判事件〔平成１０年　５月２２日出願公開、特開平１０−１３３２５３〕について、次のとおり審決する。
【結　論】
　本件審判の請求は、成り立たない。
【理　由】
１．手続の経緯
　本願は、出願日が平成８年１０月３１日である特願平８−２８９７４０号であって、平成１４年８月２３日付けで拒絶査定がなされ、これに対し平成１４年９月２６日に拒絶査定に対する審判請求がなされ、当審で通知した拒絶理由通知に対し、平成１６年１１月５日付けで手続補正がなされた。
　
２．本願発明
　本願の請求項１に係る発明（以下、「本願発明」という。）は、平成１６年１１月５日付け手続補正書の特許請求の範囲の請求項１に記載された次のとおりのものと認める。
「相対的に駆動されて絞り開口の大きさを可変する複数の絞り羽根と、前記絞り羽根により形成された開口内の少なくとも一部に配置される光量調整のためのプラスチック製ＮＤフィルターとを備え、絞りの開閉の際、前記ＮＤフィルターが摺動する光量絞り装置において、前記ＮＤフィルターが、プラスチック基板と、前記基板の片面または両面上のＮＤフィルターとしての機能を有する第１の無機硬質膜と、前記第１の無機硬質膜上のＳｉＯ2またはＭｇＦ2からなる最外層としての第２の無機硬質膜とを有することを特徴とする光量絞り装置。」
　
３．引用例
　当審における拒絶の理由に引用した特開平７−１０４３４３号公報（以下、引用例１という。）には、以下の点が記載されている。
ア．【０００１】【産業上の利用分野】
　本発明は撮影系中に設けて通過光量を制限する光量調節装置に関し、特に絞り羽根とＮＤフィルターとを利用して、装置全体の小型化を図りつつ通過光量を精度良く調整した、例えばビデオカメラ等の撮影系に好適な光量調節装置に関するものである。
　　
イ．【００１２】【実施例】
　図１は本発明を２枚羽根より成る絞りに適用したときの実施例１の要部斜視図である。
【００１３】
　同図において１は絞り装置である。２，３は絞り部材としての絞り羽根であり、例えばガラス材やプラスチック材そして金属材料より成っている。本実施例ではフィルム等の材料より構成した場合を示している。
【００１４】
　２ａ．３ａは各々ＮＤフィルターであり、絞り部材２，３の一部に絞り部材２，３と同じ材料で一体構成している。例えば絞り羽根として光を全て遮光する領域では材料としてのフィルムを１００％不透過とし、ＮＤフィルターとして使用する領域（斜線領域）では一定の透過率を有するように構成している。
　
ウ．【００１８】
　４は伝達レバーであり、絞り羽根２，３へ絞り駆動制御モータ（駆動源）５からの出力信号を伝達している。絞り駆動制御モータ５は信号処理回路（不図示）からの信号に基づいて絞り装置１を駆動させている。
【００１９】
　同図においては絞り開放のときを示しており、図中矢印Ａのごとく絞り羽根２，３を駆動させることにより被写体に応じて絞り開口を変化させ通過光量を調節している。
　
　上記記載事項、第１図から、引用例１には、「相対的に駆動されて絞り開口の大きさを可変する複数の絞り羽根２，３と、前記絞り羽根２，３により形成された開口内の少なくとも一部に配置される光量調整のためのプラスチック製ＮＤフィルター２ａ，３ａとを備え、絞りの開閉の際、前記ＮＤフィルター２ａ，３ａが摺動する光量調節装置」（以下「引用発明」という。）が記載されている。
　
　同じく、特開平７−６３９１５号公報（「引用例２」という。）には、以下の点が記載されている。
エ．【０００１】【産業上の利用分野】
　本発明は薄膜型ＮＤ（ニュートラル，デンシティ）フィルター及びその製造方法に関し、特に可視領域全域にわたり透過率が均一で、しかも耐久性に優れた薄膜型ＮＤフィルター及びその製造方法に関するものである。
　
オ．【０００３】
　このときのＮＤフィルターの分光特性は単に入射光量を減少させるということから、可視領域全般にわたり均一な透過率を有していることが必要となっている。ＮＤフィルターとしてはガラス（透明基板）に吸収物質を入れて溶解して作ったガラスフィルターや色素を入れてフィルム状にしたシートフィルター等が多く使用されている。
　
カ．【００１３】【課題を解決するための手段】
　本発明の薄膜型ＮＤフィルターは、（１−１）透過光量を減衰させる薄膜型ＮＤフィルタ−において、透明基板面上に可視域の波長域で屈折率ｎと消衰係数ｋが１．０から３．０の範囲にある２種以上の金属酸化物を用いて構成することにより、平坦な透過率特性を有することを特徴としている。
【００１４】
　特に、前記２種類以上の金属酸化物は、チタン酸化物の組み合わせであること、前記金属酸化物を含む、２層以上の多層膜反射防止にすることにより、ＮＤフィルターの表面反射特性及び裏面反射特性を低減したこと、前記多層反射防止膜の高屈折率層として金属酸化物を使用していること、前記多層反射防止膜の誘電体層としてＡｌ２　Ｏ３　，ＳｉＯ２　，ＭｇＦ２　から選ばれた材料を用い、空気側に接する最終層がＭｇＦ２　層であること、前記透明基板面の両側に多層反射防止膜を形成することにより該透明基板の両面の反射特性を低減したこと、そして前記金属酸化物は厚さにおおじて透過率の傾きが短波長と長波長で１各々異なる金属酸化物である等を特徴としている。
　
キ．【００３３】
　実施例１は透過率２０％を目標に光学用のＢＫ７の基板上に形成したものであり、基板側から７層構成でＭ層はＡｌ2 Ｏ3 膜、Ｌ層はＭｇＦ2 膜を示し、ＭｇＦ2 膜は空気に接する。金属酸化物膜としては前記ＴｉＯ膜とＴｉ2 Ｏ 3膜を選択している。そして図９に示す異なる蒸発源９３から各々蒸発せしめ２，４，６層目を形成した。形成時の真空度は５×１０-4Ｐａ、基板温度は２５０℃であり、図９に示す９５，９７及び９６，９７の光学式膜厚制御装置を用いモニタ−基板９９からの透過光、反射光の単波長、及び可視域の分光強度により膜厚制御を行っている。
【００３４】
　図３，図８に示す様にＴｉＯ膜の方が可視域において透過率特性は平坦に近く、５層目終了時及び６層目形成時の可視域での分光強度の測定から、６層目のＴｉ2 Ｏ3 膜厚を決定し、透過率の平坦化を行っている。分光強度の測定を行わずともほぼ設計値通りの特性を得ることが出来るが、上記の方法を採ることにより更に再現性よく優れた特性を得ている。
　
　同じく、特開昭６２−１０６４０２号公報（「引用例３」という。）には、以下の点が記載されている。
ク．本発明のフィルターシートにおける反射防止層を形成する透明プラスチックシートは、Ｐｂ２Ｏ３、Ｎｉ−Ｃｒ合金、、ＭｇＦ２、Ｔｉなどの材料を蒸着させ得るプラスチックであればいずれも用いることができ、例えばポリエチレンテレフタレート（ＰＥＴ）などのポリエステルが適している。（公報第２頁右上欄１１〜１６行）
　
４．対比
　そこで、本願発明と引用発明とを比較すると、引用発明の「光量調節装置」は本願発明の「光量絞り装置」に相当するので、、両者は、「相対的に駆動されて絞り開口の大きさを可変する複数の絞り羽根と、前記絞り羽根により形成された開口内の少なくとも一部に配置される光量調整のためのプラスチック製ＮＤフィルターとを備え、絞りの開閉の際、前記ＮＤフィルターが摺動する光量絞り装置。」である点で一致し、以下の点で相違する。
　
相違点１
　本願発明はＮＤフィルターが、プラスチック基板と、前記基板の片面または両面上のＮＤフィルターとしての機能を有する第１の無機硬質膜と、前記第１の無機硬質膜上のＳｉＯ2またはＭｇＦ2からなる最外層としての第２の無機硬質膜とを有するのに対し、引用発明では、ＮＤフィルターの層構造についての記載がない点。
　
５．判断
相違点１について
　引用例２には、表１も参照すれば、基板上に順に、Ａｌ２Ｏ３膜、ＴｉＯ膜、Ａｌ２Ｏ３膜、ＴｉＯ膜、Ａｌ２Ｏ３膜、Ｔｉ２Ｏ３膜、そして、空気と接する層としてＭｇＦ２膜を形成した薄膜型ＮＤフィルターが記載されている。
　そして、Ｔｉ２Ｏ３膜までが、本願発明の第１の無機硬質膜に相当し、ＭｇＦ２膜が第１の無機硬質膜上の最外層としての第２の無機硬質膜に相当することは、引用例２の上記記載事項カ．、キ．等から明らかである。
　
　また、プラスチック基板とすることも、引用例１の「プラスチック製ＮＤフィルター」の記載の他、引用例２の上記記載事項オ．、引用例３の上記記載事項ク．等から、格別の構成ではない。
　
　そして、引用発明、引用例２に記載されたもののいずれも、ＮＤフィルターに関するものであるので、引用発明に、引用例２に記載されたものを組み合わせて、相違点１に係る構成とすることは、当業者にとって容易である。
　
　したがって、本願発明は、引用例１、２に記載された発明、及び周知技術に基づいて、当業者が容易に発明をすることができたものである。
　
６．むすび
　以上のとおり、本願発明は、引用例１、２に記載された発明、及び周知技術に基づいて、当業者が容易に発明をすることができたものであるから、特許法第２９条第２項の規定により特許を受けることができない。
　よって、結論のとおり審決する。